(57)【要約】【課題】配線ケーブルの断線等を防止しつつ端部の抜けによる接触不良を効果的に防止し得る遊技機を提供する。【解決手段】配線ケーブル５１を電子部品４３に挿脱自在に接続し、配線ケーブル５１を巻き掛け手段４４に遊びをもって巻き掛ける。また、電子部品４３と巻き掛け手段４４とを可動体２０に設けてもよい。配線ケーブル５１は、巻き掛け手段４４に巻き掛けられることにより電子部品４３に対する挿脱方向と異なる方向に案内されるように構成してもよい。配線ケーブル５１は例えばフラットケーブルであり、フラットケーブル５１を折り返して方向を変えることにより巻き掛け手段４４に巻き掛けてもよい。【選択図】図６
2016198259.tif 000002
【特許請求の範囲】
【請求項１】
配線ケーブルを電子部品に挿脱自在に接続した遊技機において、
前記配線ケーブルを巻き掛け手段に遊びをもって巻き掛けた
ことを特徴とする遊技機。
【請求項２】
所定動作可能な可動体を備え、
前記電子部品と前記巻き掛け手段とを前記可動体に設けた
ことを特徴とする請求項１に記載の遊技機。
【請求項３】
前記可動体は回転軸廻りに回転又は揺動可能であり、
前記巻き掛け手段を、前記回転軸と同軸に設けた
ことを特徴とする請求項２に記載の遊技機。
【請求項４】
前記可動体の回転軸から略半径方向に引き出された前記配線ケーブルを、前記回転軸を前記巻き掛け手段としてその外周に巻き掛けた
ことを特徴とする請求項２に記載の遊技機。
【請求項５】
所定動作可能な可動体と、
前記可動体を直接的又は間接的に支持する可動体ベースとを備え、
前記電子部品を前記可動体に、前記巻き掛け手段を前記可動体ベースに夫々設けた
ことを特徴とする請求項１に記載の遊技機。
【請求項６】
前記配線ケーブルは、前記巻き掛け手段に巻き掛けられることにより前記電子部品に対する挿脱方向と異なる方向に案内される
ことを特徴とする請求項１〜５の何れかに記載の遊技機。
【請求項７】
前記巻き掛け手段は、前記配線ケーブルを少なくとも長手方向に移動可能に案内するケーブル案内部を備えた
ことを特徴とする請求項１〜６の何れかに記載の遊技機。
【請求項８】
前記配線ケーブルは、前記巻き掛け手段への巻き掛け部分を挟んでその両側が、区分部材を挟んで交差している
ことを特徴とする請求項１〜７の何れかに記載の遊技機。
【請求項９】
前記配線ケーブルはフラットケーブルであり、
前記フラットケーブルを折り返して方向を変えることにより前記巻き掛け手段に巻き掛けた
ことを特徴とする請求項１〜８の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、遊技盤の裏側等に制御基板や中継基板が配置されると共に、それら制御基板と制御基板、制御基板と中継基板、中継基板と演出基板（例えばＬＥＤ基板）等を接続する多数の配線ケーブルが配設されている。また、例えば演出用の可動体に設けたＬＥＤ基板等と制御基板又は中継基板との間を接続する配線ケーブルには、可撓性を有するフラットケーブルが用いられる場合が多い。
このような従来の遊技機では、配線ケーブルの端部を制御基板等に接続した後、複数の配線ケーブルを結束バンドで束ねて取り回す等の作業が行われるが、このときに配線ケーブルの端部に抜け方向の力が作用してコネクタ部分が半挿入状態になり、接触不良が発生する可能性があった。また、可動体に接続したフラットケーブル等についても、可動体の動作が繰り返されることによって同様の問題が生じる可能性があった。
これに対し、例えば特許文献１に記載の遊技機では、可動体に接続したフラットケーブルの抜け防止等を目的として、そのフラットケーブルの端部近傍を、固定手段により両面側から挟持した状態で固定している。
【先行技術文献】
【特許文献】
【０００３】
【特許文献１】特開２０１１−１０４２９４号公報
【発明の概要】
【発明が解決しようとする課題】
【０００４】
特許文献１に記載の遊技機のように、配線ケーブルの端部近傍を固定手段により挟持して固定することにより、コネクタ部分の接触不良は効果的に防止できると考えられる。しかしながら一方で、配線ケーブルの取り回し等により配線ケーブルが引っ張られると、固定手段による挟持部分に過大な負荷が作用し、断線等の通電不良が発生する可能性があった。
本発明は上記事情に鑑みてなされたものであり、配線ケーブルの断線等を防止しつつ端部の抜けによる接触不良を効果的に防止し得る遊技機を提供することを目的とする。
【課題を解決するための手段】
【０００５】
本発明は、配線ケーブル５１，１１５，１３２〜１３４，１５６を電子部品４３，１１２，１２６，１２７，１２９，１３１，１５４に挿脱自在に接続した遊技機において、前記配線ケーブル５１，１１５，１３２〜１３４，１５６を巻き掛け手段４４，１０９，１１９，１３５〜１３９，１５２に遊びをもって巻き掛けたものである。
また、所定動作可能な可動体２０，８０，１５０を備え、前記電子部品４３，１１２，１５４と前記巻き掛け手段４４，１０９，１５２とを前記可動体２０，８０，１５０に設けてもよい。この場合、前記可動体８０を回転軸９２廻りに回転又は揺動可能とし、前記巻き掛け手段１０９を、前記回転軸９２と同軸に設けてもよいし、前記可動体１５０の回転軸１５２から略半径方向に引き出された前記配線ケーブル１５６を、前記回転軸１５２を前記巻き掛け手段としてその外周に巻き掛けてもよい。
また、所定動作可能な可動体８０と、前記可動体８０を直接的又は間接的に支持する可動体ベース２９とを備え、前記電子部品１１２を前記可動体８０に、前記巻き掛け手段１０９を前記可動体ベース２９に夫々設けてもよい。
また、前記配線ケーブル５１，１１５，１３２〜１３４，１５６は、前記巻き掛け手段４４，１０９，１１９，１３５〜１３９，１５２に巻き掛けられることにより前記電子部品４３，１１２，１２６，１２７，１２９，１３１，１５４に対する挿脱方向と異なる方向に案内されるように構成してもよい。
前記巻き掛け手段４４は、前記配線ケーブル５１を少なくとも長手方向に移動可能に案内するケーブル案内部７１を備えた構成としてもよい。前記配線ケーブル５１は、前記巻き掛け手段４４への巻き掛け部分を挟んでその両側が、区分部材７６を挟んで交差した構成としてもよい。前記配線ケーブル５１はフラットケーブルであり、前記フラットケーブル５１を折り返して方向を変えることにより前記巻き掛け手段４４に巻き掛けてもよい。
【発明の効果】
【０００６】
本発明によれば、配線ケーブルの断線等を防止しつつ端部の抜けによる接触不良を効果的に防止することが可能である。
【図面の簡単な説明】
【０００７】
【図１】本発明の第１の実施形態に係るパチンコ機の全体正面図である。
【図２】同パチンコ機の遊技盤の平面断面図である。
【図３】同パチンコ機の中央表示ユニットの前飾り板部分の正面断面図である。
【図４】同パチンコ機の可動体ユニットの演出位置での平面断面図である。
【図５】同パチンコ機の可動体ユニットの側面断面図である。
【図６】同パチンコ機の可動体ユニットの背面図である。
【図７】同パチンコ機の可動体ユニットの斜視図である。
【図８】同パチンコ機の巻き掛け手段の分解斜視図である。
【図９】同パチンコ機の可動体ユニットの待機位置での平面断面図である。
【図１０】本発明の第２の実施形態に係るパチンコ機の遊技盤の正面図である。
【図１１】同パチンコ機の裏装着枠の正面図である。
【図１２】同パチンコ機の可動体ユニットの分解斜視図である。
【図１３】同パチンコ機の可動体ユニットの側面断面図である。
【図１４】本発明の第３の実施形態に係るパチンコ機の遊技盤の正面図である。
【図１５】同パチンコ機の遊技盤の平面断面図である。
【図１６】同パチンコ機の前飾り枠の背面断面図である。
【図１７】本発明の第４の実施形態に係るパチンコ機の可動体ユニットの斜視図である。
【発明を実施するための形態】
【０００８】
以下、本発明の実施形態を図面に基づいて詳述する。図１〜図９は本発明をパチンコ機に採用した第１の実施形態を例示している。図１に示すように、遊技機本体１は、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【０００９】
前面板６の前側には、発射用の遊技球を貯留する球供給皿８と、余剰球を貯留する球受け皿９とが上下に配置され、その側方に遊技球を発射する発射手段（図示省略）を操作するための発射ハンドル１０が設けられている。球供給皿８、球受け皿９は、前側から上部皿カバー１２、下部皿カバー１３により覆われている。
【００１０】
上部皿カバー１２の前中央部には、例えば内部に回転演出手段を備えた操作ボタン１４が配置され、その左側にチャンスボタン１５が配置されている。ガラス扉５の後側には、このガラス扉５に対応するように遊技盤１６が前枠４に対して例えば前側から着脱自在に装着されている。
【００１１】
遊技盤１６の前面には、発射手段から発射された遊技球を案内するガイドレール１７が略円弧状に配置されると共に、そのガイドレール１７の内側の遊技領域１８に中央表示ユニット１９、可動体ユニット２０ａ、普通図柄始動手段２１、特別図柄始動手段２２、可変入賞手段２３、普通入賞口２４、普通図柄表示手段２５、特別図柄表示手段２６等の各種の遊技部品が配置され、最下部にアウト球を裏側へと案内するアウト口２７が設けられている。
【００１２】
ガイドレール１７は外レール１７ａと内レール１７ｂとを有する。中央表示ユニット１９は遊技領域１８の左右方向略中央の上部に配置され、可動体ユニット２０ａは中央表示ユニット１９の前一側部に配置されている。可動体ユニット２０ａは、演出位置Ａと待機位置Ｂとの間で移動可能な可動表示手段２０を備えている。特別図柄始動手段２２と可変入賞手段２３は中央表示ユニット１９の下側に上下に配置されている。普通入賞口２４は左右に隣り合って配置され、可変入賞手段２３の左右両側に設けられている。特別図柄始動手段２２は非開閉式入賞口２２ａと開閉式入賞口２２ｂとを有する。普通図柄始動手段２１は、例えば中央表示ユニット１９の左側に配置されている。
【００１３】
中央表示ユニット１９は、図１，図２に示すように、液晶パネル等よりなる第１画像表示手段２８と、第１画像表示手段２８を支持し且つ遊技盤１６の裏面に装着された裏装着枠２９と、第１画像表示手段２８に対応する表示窓３０を有し且つ遊技盤１６に形成された装着孔１６ａに対して前側から装着された前飾り枠３１とを備えている。前飾り枠３１は、遊技盤１６の前面に当接する取り付け板３２と、この取り付け板３２から装着孔１６ａの内面に沿って後方に延設され且つ第１画像表示手段２８の外周部から前側を覆う前飾り板３３と、第１画像表示手段２８の上部から左右両側部に跨がって取り付け板３２の前面に配置され且つ遊技盤１６から前側に突出する突出部３４とを備えている。中央表示ユニット１９の前飾り枠３１、取り分けその前飾り板３３の前側に、可動体ユニット２０ａの可動表示手段２０が配置されている。
【００１４】
普通図柄表示手段２５、特別図柄表示手段２６は例えば突出部３４の前面側に配置されている。普通図柄表示手段２５は普通図柄を変動表示するためのもので、例えば複数種類の普通図柄（例えば２種類の「○」「×」）に対応する複数個の発光素子により構成されており、通過ゲート等よりなる普通図柄始動手段２１が遊技球を検出することを条件に２個の発光素子が交互に点灯するように所定時間点滅して、普通図柄始動手段２１による遊技球検出時に抽選された乱数値が予め定められた当たり判定値と一致した場合に当たり態様（所定態様）の「○」側の発光素子が点灯し、それ以外の場合に外れ態様の「×」側の発光素子が点灯して停止する。なお、変動後の普通図柄は１／１０程度の所定の確率で当たり態様となる。
【００１５】
特別図柄表示手段２６は、発光部位の変化等で特別図柄を変動表示可能なセグメント式等の表示手段により構成されており、特別図柄始動手段２２が遊技球を検出することを条件に特別図柄が所定時間変動して、特別図柄始動手段２２による遊技球検出時に抽選された乱数値が予め定められた大当たり判定値と一致した場合に所定の大当たり態様（特定態様）で、それ以外の場合に外れ態様で停止するようになっている。
【００１６】
特別図柄始動手段２２の開閉式入賞口２２ｂは、普通図柄表示手段２５の変動後の停止図柄が当たり態様となったときに所定時間だけ開放するようになっている。可変入賞手段２３は開閉板２３ａを有し、特別図柄表示手段２６の変動後の特別図柄が大当たり態様となって特別利益状態が発生したときに開閉板２３ａが前側に開放して、上方から落下する遊技球を入賞させるようになっている。特別利益状態中は開閉板２３ａの開放から所定時間（例えば３０秒程度）が経過するか、その間に所定数（例えば１０個）の遊技球が入賞したときに開閉板２３ａを閉じる動作を１ラウンドとし、この動作を所定回数（例えば１５ラウンド）繰り返すようになっている。
【００１７】
第１画像表示手段２８は特別図柄表示手段２６の特別図柄に対応する演出図柄３５ａ〜３５ｃの変動表示、操作ボタン１４等の操作指示画像３６を表示する操作指示等、遊技の進行に従って適宜タイミングで各種の演出画像を随時表示するものである。即ち、特別図柄表示手段２６の特別図柄の変動に際しては、その特別図柄の変動に同期して１個又は複数個、例えば３個の演出図柄３５ａ〜３５ｃが第１画像表示手段２８に変動表示される。このとき演出図柄３５ａ〜３５ｃは特別図柄始動手段２２による遊技球検出を条件に、抽選により決定された所定の演出図柄変動パターンを経て所定時間変動した後、特別図柄の変動終了と同期して所定の順序（例えば左、右、中等の順序）で順次停止する。
【００１８】
演出図柄３５ａ〜３５ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。なお、演出図柄３５ａ〜３５ｃには例えば０〜９までの数字図柄が使用される。
【００１９】
可動体ユニット２０ａは、図１〜図７等に示すように、可動表示手段（可動体）２０、駆動手段３９、案内手段４０、取り付け台５３等を備えている。可動表示手段２０は、第１画像表示手段２８の左右方向の一側で前飾り板３３の前側に配置され、駆動手段３９と案内手段４０とが協働して、第１画像表示手段２８の前側に突出する演出位置Ａと、この演出位置Ａから側方に外れた待機位置Ｂとの間で左右方向に移動可能である。
【００２０】
可動表示手段２０は、演出位置Ａでは第１画像表示手段２８の前面と略平行な前向き姿勢（図４参照）に保持され、また待機位置Ｂでは中央表示ユニット１９の内外方向の内側へと前内向きに傾斜する内向き姿勢（図９参照）に保持される。待機位置Ｂは可動表示手段２０が第１画像表示手段２８よりも外側に外れて第１画像表示手段２８の裏装着枠２９の前側に重なり且つ可動表示手段２０の表示画像を遊技機本体１の前側から視認可能な位置となっている。なお、待機位置Ｂにおいて可動表示手段２０の一部が第１画像表示手段２８の前側に重なるようにしてもよい。
【００２１】
可動表示手段２０は、図３〜図９に示すように、液晶パネル等よりなる第２画像表示手段４１と、この第２画像表示手段４１を裏側から保護する保護ケース４２と、保護ケース４２の後側に装着された表示制御基板４３と、表示制御基板４３の後側に配置された巻き掛け手段４４と、それら第２画像表示手段４１，保護ケース４２，表示制御基板４３，巻き掛け手段４４等を収容する本体ケース４５等を備えている。
【００２２】
本体ケース４５は、前ベース体４６と、その前ベース体４６の後側に着脱自在に装着される後カバー４７とを備えている。前ベース体４６は、例えば透明な縦長矩形状に形成された前面板４８と、その前面板４８の外周部近傍から後向きに突出する外周壁４９とを一体に備え、後カバー４７は外周壁４９の外周側に後側から嵌合した状態で固定されるようになっている。
【００２３】
第２画像表示手段４１は、その前面側を前面板４８の裏側に当接又は近接させた状態で、保護ケース４２を介して前ベース体４６の背面側で且つ外周壁４９の内側に装着されている。表示制御基板（電子部品）４３は、第２画像表示手段４１に対して電気的に接続され、例えば保護ケース４２の背面に沿って着脱自在に装着されている。また、表示制御基板４３の背面側には、例えば保護ケース４２の背面視左下部にコネクタ５０が装着されており、このコネクタ５０にフラットケーブル（配線ケーブル）５１の一端側が例えば表示制御基板４３の板面に沿って上向きに接続されている。
【００２４】
フラットケーブル５１は、表示制御基板４３を挟んで保護ケース４２の裏側に装着された巻き掛け手段４４を経て、後カバー４７に形成された開口部５２から後側に引き出された後、取り付け台５３等を経て、遊技盤１６の後側に配置された演出制御基板（図示省略）に接続されている。
【００２５】
取り付け台５３は、可動表示手段（可動体）２０を移動可能に支持するもので、第１画像表示手段２８よりも左右方向の外側で待機位置Ｂの後方に配置された第１枠部５４と、この第１枠部５４の下側から第１画像表示手段２８の前側へと横方向に延びる第２枠部５５とを有し、その第１枠部５４及び第２枠部５５の夫々が前飾り枠３１の裏側に着脱自在に装着されている。第１枠部５４は、前側が開放する平面視略コ字状であって、後壁５４ａと左右一対の側壁５４ｂ，５４ｃとを有している。第２枠部５５は第１画像表示手段２８の下部前側で前飾り板３３に設けられた平坦部３３ａの上面と略面一状に設けられている。
【００２６】
なお、取り付け台５３は中央表示ユニット１９側に装着しておればよく、例えば裏装着枠２９に装着してもよいし、裏装着枠２９と前飾り枠３１とに跨がって装着してもよい。裏装着枠２９と前飾り枠３１とにより、中央表示ユニット１９の支持枠が構成されている。
【００２７】
駆動手段３９は演出位置Ａと待機位置Ｂとの間で可動表示手段２０を移動させるもので、第１枠部５４内に上下方向に配置され且つ第１枠部５４に回動自在に支持された枢支軸５６と、この枢支軸５６に固定された上下一対の揺動アーム５７と、第１枠部５４上に装着され且つ揺動アーム５７を枢支軸５６廻りに往復駆動する駆動モータ５８とを有する。
【００２８】
各揺動アーム５７は、前ベース体４６から裏側に突出する上下一対の突出部５９の後端側に、枢支軸５６と略平行な連結軸６０を介して連結されている。駆動モータ５８はステッピングモータ等により構成され、第１枠部５４上に固定されている。駆動モータ５８の出力軸は枢支軸５６に軸継手を介して連結されている。
【００２９】
なお、第１枠部５４は可動表示手段２０の移動方向（左右方向）と略直交する方向（上下方向）に配置され、第２枠部５５は可動表示手段２０の移動方向に沿う方向（左右方向）に配置されている。枢支軸５６は第１枠部５４と同様、可動表示手段２０の移動方向（左右方向）と略直交する方向（上下方向）に配置され、その両端部に一対の揺動アーム５７が設けられている。下側の揺動アーム５７は第１枠部５４の受け面５４ｄにより摺動自在に支持されている。
【００３０】
案内手段４０は、駆動手段３９と協働して可動表示手段２０を両位置Ａ，Ｂ間で案内しながら、待機位置Ｂでの中央表示ユニット１９の内側へと前内向きに傾斜する内向き姿勢と、演出位置Ａでの前向き姿勢との間で可動表示手段２０の姿勢を変化させるもので、固定側である第２枠部５５に設けられた左右方向の案内部６１と、この案内部６１により左右方向に案内され且つ可動表示手段２０を枢支軸５６と平行な軸心廻りに揺動自在に支持する被案内部６２とを有する。
【００３１】
案内部６１は第２枠部５５に形成された左右方向の横案内溝６１ａと、この横案内溝６１ａの外端から前外側へと斜め方向に傾斜状に形成された傾斜案内溝６１ｂとを備えている。被案内部６２は、前ベース体４６の幅方向の略中央近傍から下方に突出する突出軸６２ａと、この突出軸６２ａに套嵌され且つ案内溝６１ａ，６１ｂに摺動自在に嵌合する案内輪６２ｂとを有する。
【００３２】
なお、案内部６１は可動表示手段２０の前面に略沿って移動方向に配置されており、その横案内溝６１ａは第１画像表示手段２８と略平行であり、傾斜案内溝６１ｂは横案内溝６１ａに対して前側に所定角度傾斜して配置されている。突出軸６２ａは枢支軸５６と略平行である。
【００３３】
可動体ユニット２０ａは、可動表示手段２０が前飾り板３３の開口６３に裏側から出退するように前飾り枠３１の裏側に着脱自在に装着されている。なお、開口６３はフラットケーブル５１用の挿通孔６４、揺動アーム５７用の挿通孔６５を有する閉塞板６６により塞がれている。閉塞板６６は前飾り板３３の裏側に着脱自在に装着され、また挿通孔６４，６５はフラットケーブル５１、揺動アーム５７に対応して左右方向の一端側から他端側への切欠状に形成されている。
【００３４】
巻き掛け手段４４は、図４〜図９に示すように、表示制御基板４３を挟んで保護ケース４２の背面側に装着された巻き掛けベース４４ａと、巻き掛けベース４４ａの後側に装着された巻き掛けカバー４４ｂとを備えている。
【００３５】
巻き掛けベース４４ａは、図８に示すように、フラットケーブル５１を収容可能に形成された左右一対の縦溝部７１ａ，７１ｂと、同じくフラットケーブル５１を収容可能に形成され且つ縦溝部７１ａ，７１ｂの上下両端側を夫々接続する上下一対の横溝部７１ｃ，７１ｄとで矩形環状に形成されたケーブル案内部７１を背面側に備えている。表示制御基板４３の裏側のコネクタ５０から下向きに引き出されたフラットケーブル５１は、例えば保護ケース４２の下部側で上向きに折り返された後、ケーブル案内部７１の縦溝部７１ｂ，横溝部７１ｃ，縦溝部７１ａ，横溝部７１ｄに沿って２７０度のループ状に案内され、例えば横溝部７１ｄと縦溝部７１ｂとの連結部又はその近傍のケーブル引き出し部７２から横向きに引き出されるようになっている。
【００３６】
ケーブル案内部７１に巻き掛けられたフラットケーブル５１は、ケーブル案内部７１の４つの角部のうちの３箇所で長手方向に対して４５度の角度で折り返されることにより、夫々９０度ずつ方向を変えている。なお、これらの折り返し部分は、フラットケーブル５１の所定面側が常に内側となるように折り返されている。
【００３７】
またケーブル案内部７１には、切欠状又は開口状のケーブル引き込み部７３が、例えば縦溝部７１ｂの底壁７６に形成されている。ケーブル引き込み部７３は、ケーブル引き出し部７２から離れた位置、例えば縦溝部７１ｂにおける上下方向略中央に設けられており、フラットケーブル５１は、巻き掛け手段４４と保護ケース４２との間からこのケーブル引き込み部７３を介して縦溝部７１ｂに上向きに引き込まれている。このようにフラットケーブル５１は、ケーブル引き込み部７３からケーブル引き出し部７２までの部分が巻き掛け手段４４への巻き掛け部分となっており、その巻き掛け部分の両側が、縦溝部７１ｂの底壁（区分部材）７６を挟んで略直角に交差している。従って、その交差部分でフラットケーブル５１同士が直接接触することはない。
【００３８】
巻き掛けカバー４４ｂは、図７，図８等に示すように、ケーブル案内部７１におけるケーブル引き込み部７３からケーブル引き出し部７２までの範囲に対応する板状に形成されており、ケーブル案内部７１を後側から略閉鎖することにより、フラットケーブル５１をケーブル案内部７１内に保持するようになっている。なお、横溝部７１ｄと巻き掛けカバー４４ｂの端部との隙間がケーブル引き出し部７２を形成している。ケーブル案内部７１の底面７４と巻き掛けカバー４４ｂとの間には、フラットケーブル５１を圧迫しないように十分な隙間が形成され、またケーブル引き込み部７３及びケーブル引き出し部７２についてもフラットケーブル５１が十分な余裕を持って挿通されている。即ち、フラットケーブル５１は巻き掛け手段４４に対して遊びを持って巻き掛けられている。
【００３９】
巻き掛け手段４４のケーブル引き出し部７２から引き出されたフラットケーブル５１は、後カバー４７に形成された開口部５２から後側に引き出された後、閉塞板６６の挿通孔６４、取り付け台５３の挿通孔７５等を経て裏側へと案内されている。なお、巻き掛け手段４４から引き出されたフラットケーブル５１を取り付け台５３等に固定する固定具等を設けてもよい。
【００４０】
このような構成のパチンコ機において、遊技に際して発射手段により遊技盤１６の遊技領域１８に遊技球を打ち込むと、その遊技球は普通図柄始動手段２１を通過し、又は通過することなく流下する。そして、その遊技球は普通入賞口２４、特別図柄始動手段２２、可変入賞手段２３の何れかに入賞し、或いは入賞することなく遊技領域１８の最下部まで流下してアウト口２７から排出される。
【００４１】
普通図柄始動手段２１が遊技球を検出すると、普通図柄表示手段２５の普通図柄が所定時間変動し、例えば当たり態様（所定態様）、外れ態様の何れかで停止する。普通図柄が当たり態様で停止すれば、特別図柄始動手段２２の開閉式入賞口２２ｂが所定時間開放する。そして、特別図柄始動手段２２の上下２個の入賞口２２ａ，２２ｂの何れかに遊技球が入賞すると、特別図柄表示手段２６の特別図柄が所定時間変動し、またその特別図柄の変動に同期して第１画像表示手段２８の演出図柄３５ａ〜３５ｃが所定の演出図柄変動パターンで変動する。可動表示手段２０は通常、待機位置Ｂで待機しており、その第２画像表示手段４１に第１画像表示手段２８の演出画像と同期して適宜演出画像が表示される。
【００４２】
特別図柄始動手段２２が遊技球を検出した際に、特別利益状態の発生を抽選していた場合には、例えば特別図柄の変動中において、第１画像表示手段２８に表示される演出図柄３５ａ〜３５ｃのうち２個の演出図柄３５ａ，３５ｃが同じ図柄を表示するリーチになったときに、可動表示手段２０が待機位置Ｂから第１画像表示手段２８の前側の演出位置Ａへと移動して、変動表示中の１個の演出図柄３５ｃを一時的に隠蔽する。これとは別に第１画像表示手段２８に表示される演出画像と同期して、その演出画像の一部と前後に重なるように第２画像表示手段４１に演出画像が表示され、両画像表示手段２８，４１の演出画像の組み合わせにより一体感のある画像演出を行う。
【００４３】
次に可動表示手段２０は演出位置Ａから待機位置Ｂへと移動し、可動表示手段２０により隠蔽状態であった演出図柄３５ｃが第１画像表示手段２８に現れ、また例えば操作ボタン１４の操作を指示する操作指示画像３６（図１）が第１画像表示手段２８に表示される。
【００４４】
この操作指示画像３６の表示中に遊技者が適宜タイミングで操作ボタン１４を押圧操作すれば、例えば操作ボタン１４内の回転演出手段が回転発光して、その後に特別図柄が大当たり態様で停止して特別利益状態が発生することを予告する予告演出を行う。そして、特別図柄が大当たり態様で停止した後に可変入賞手段２３が所定の開閉動作を行う特別利益状態が発生する。この特別利益状態では、可変入賞手段２３の開閉板２３ａが前側に開放して、上方から落下する遊技球を開閉板２３ａにより可変入賞手段２３内に案内するので、多数の遊技球が入賞し易くなる。
【００４５】
以上のようなパチンコ機の組み立て工程において、可動表示手段２０を中央表示ユニット１９に組み付ける場合には、前飾り板３３の裏側から可動表示手段２０を開口６３に挿入して、その取り付け台５３を前飾り板３３の裏側に固定する。このとき、可動表示手段２０の表示制御基板４３に接続されたフラットケーブル５１は、巻き掛け手段４４を介して後側に引き出されている。従ってこのような組み立て作業において、例えばフラットケーブル５１が誤って強く引っ張られたとしても、その引張り力は巻き掛け手段４４への巻き掛け部分で吸収されるため、コネクタ５０からの抜けによる接触不良を確実に防止できる。しかも、フラットケーブル５１は巻き掛け手段４４に対して遊びを持って巻き掛けられているため、強く引っ張られてもその力がフラットケーブル５１上の一箇所に集中することがなく、断線等の発生を未然に防止できる。
【００４６】
図１０〜図１３は本発明の第２の実施形態を例示し、可動体側と、その可動体を直接的又は間接的に支持する可動体ベース側とに夫々巻き掛け手段を設けた例を示している。なお、本実施形態のパチンコ機は、中央表示ユニット１９の一部構成及び可動体ユニットの構成以外は第１の実施形態と共通である。以下、第１の実施形態と異なる構成を中心に説明する。
【００４７】
本実施形態の中央表示ユニット１９は、遊技領域１８の左右方向の略中央の上部に配置されており、図１０，図１１等に示すように、液晶パネル等よりなる第１画像表示手段２８と、第１画像表示手段２８を支持し且つ遊技盤１６の裏面に装着された裏装着枠２９と、第１画像表示手段２８に対応する表示窓３０を有し且つ遊技盤１６の前面に装着された前飾り枠３１とを備え、裏装着枠（可動体ベース）２９に、可動体８０を備えた可動体ユニット８０ａが配置されている。
【００４８】
裏装着枠２９は、図１１〜図１３に示すように、遊技盤１６と略平行に形成され且つその略中央に表示窓８１が形成された背壁８２と、この背壁８２の外周側から遊技盤１６の背面に向けて略前向きに延設された周壁８３とを備えた略箱形で、例えば周壁８３の前縁側に設けられた固定部８４において遊技盤１６の背面側に着脱自在に固定されており、例えば背壁８２の背面側に、表示窓８１に対応して第１画像表示手段２８が装着されている。可動体ユニット８０ａは、例えば表示窓８１の上側で背壁８２の前側に配置されている。
【００４９】
本実施形態の可動体ユニット８０ａは、図１１〜図１３に示すように、駆動ケース９１と、この駆動ケース９１により前後方向の回転軸９２廻りに揺動自在に支持された可動体８０と、駆動ケース９１上に装着され且つ可動体８０を駆動する駆動手段９３と、駆動ケース９１内に配置され且つ駆動手段９３の駆動力を可動体８０に伝達する駆動伝達系９４と、可動体８０が例えば待機位置Ｂを含む所定範囲内にあることを検出する位置検出手段９５とを備え、駆動ケース９１が、例えば裏装着枠２９の背壁８２から前向き突出状に設けられた固定基部９６に着脱自在に固定されている。
【００５０】
また、駆動伝達系９４は、駆動手段９３の回転動作を可動体８０の揺動動作に変換するためのクランクギヤ９７と、駆動手段９３の回転動作をクランクギヤ９７に伝達する駆動ギヤ９８とで構成されている。
【００５１】
駆動ケース９１は、後ベース９１ａと、その前側に装着される前カバー９１ｂとで略箱型に形成されている。後ベース９１ａは、遊技盤１６と略平行な背壁１０１と、この背壁１０１の外周に沿って前向きに突設された周壁１０２とを一体に備え、例えば固定基部９６の前端側に着脱自在に固定されている。
【００５２】
背壁１０１には、可動体８０の回転軸９２と、クランクギヤ９７の回転軸１０３とが例えば左右に所定距離をおいて前向きに突設されると共に、回転軸９２の周辺部に、回転軸９２を中心とする円弧状の長孔１０４が形成されている。また周壁１０２には、可動体８０が挿通する可動体挿通部１０５が例えば切欠状に形成されている。
【００５３】
可動体８０は、回転軸９２に対する略半径方向に配置され且つその先端側に所定形状の装飾体１０６が設けられた可動アーム部１０７と、回転軸９２に対して可動アーム部１０７とは異なる半径方向に配置されたガイド部１０８とを例えば一体に備え、可動アーム部１０７を可動体挿通部１０５に挿通させて装飾体１０６を駆動ケース９１の外側に露出させた状態で回転軸９２に対して回転自在に装着されている。
【００５４】
可動アーム部１０７は、駆動ケース９１側の回転軸９２に対して回転自在に装着される軸支部１０９と、この軸支部１０９の例えば後端側に一体に設けられ且つ回転軸９２に略垂直なベース板１１０と、少なくとも長手方向に対する両側縁部に沿って配置される側板１１１とを一体に備えている。
【００５５】
装飾体１０６には、前面側にＬＥＤ１１２ａが配置された発光基板１１２と、その発光基板１１２の前側に設けられた装飾レンズ１１３とを備えている。発光基板（電子部品）１１２には、可動アーム部１０７側の端部近傍にコネクタ１１４が設けられており、このコネクタ１１４に、例えば複数のリード線を束ねた束線状の配線ケーブル１１５の一端側が挿脱自在に接続されている。配線ケーブル１１５は、可動アーム部１０７の軸支部（巻き掛け手段）１０９に対してその周方向の一部に遊びを持って巻き掛けられた後、ベース板１１０に設けられた挿通孔１１６、駆動ケース９１側に設けられた長孔１０４を介して駆動ケース９１の後側に引き出されている。このように、配線ケーブル１１５が巻き掛けられる軸支部（巻き掛け手段）１０９は、回転軸９２と同軸に設けられている。
【００５６】
ガイド部１０８には、その長手方向、即ち回転軸９２の半径方向に沿って細長状のガイド孔１０８ａが形成されている。駆動手段９３は、例えばステッピングモータにより構成されており、その出力軸９３ａを前向きに突出させた状態で例えば後ベース９１ａの背面側に装着されている。駆動手段９３の出力軸９３ａには駆動ギヤ９８が固定されている。
【００５７】
クランクギヤ９７は、平歯車よりなるギヤ本体９７ａと、このギヤ本体９７ａの前面側の外縁部近傍に配置されたクランクピン９７ｂとを備え、駆動ケース９１内の回転軸１０３により回転自在に支持されており、ギヤ本体９７ａの外周に駆動ギヤ９８が噛合し、クランクピン９７ｂが可動体８０側のガイド孔１０８ａに摺動自在に嵌合している。これにより、駆動手段９３が正／逆何れかの方向に作動すると、駆動ギヤ９８を介してクランクギヤ９７が回転し、それによってクランクピン９７ｂがガイド孔１０８ａ内を摺動しつつ回転するため、可動体８０が回転軸９２廻りに揺動する。
【００５８】
可動体８０は、クランクギヤ９７が１回転する間に、待機位置Ｂと最大揺動位置Ａとの間の揺動可動範囲内で１往復し、図１０等に示すように待機位置Ｂでは回転軸９２に対して略横向きとなって第１画像表示手段２８の上側に外れ、最大揺動位置Ａでは回転軸９２に対して略下向きとなって第１画像表示手段２８の一部を前側から覆うようになっている。待機位置Ｂと最大揺動位置Ａは、正面視においてクランクピン９７ｂと回転軸１０３、クランクピン９７ｂと回転軸９２を夫々結ぶ２つの直線が互いに直交するメカロック位置であり、これらの位置では可動体８０の自重等によってその揺動位置が変化することはない。なお、後ベース９１ａの周壁１０２には、ガイド部１０８用の逃げ孔１１７が形成されている。
【００５９】
位置検出手段９５は、例えば投光部と受光部とが対向配置された略コの字型の透過型フォトセンサにより構成され、例えばセンサ基板１１８を介して駆動ケース９１に装着されており、可動体８０が待機位置Ｂを含む所定範囲内にあるとき、例えばクランクギヤ９７の背面側に突設された被検出部９５ａが位置検出手段９５の投光部から受光部への光路を遮断することによりＯＮになるように配置されている。
【００６０】
また例えば裏装着枠（可動体ベース）２９には、図１２，図１３に示すように、駆動ケース９１の後側に対応して巻き掛け手段１１９が設けられている。巻き掛け手段１１９は、例えばコの字型のループ状に形成されており、例えば裏装着枠２９の背壁８２の前側に突設されている。駆動ケース９１から後向きに引き出された配線ケーブル１１５は、巻き掛け手段１１９に遊びをもって巻き掛けられた後、裏装着枠２９に設けられた挿通孔（図示省略）等を介して、遊技盤１６の後側に配置された演出制御基板（図示省略）に接続されている。
【００６１】
このように構成された可動体ユニット８０ａは、例えば第１画像表示手段２８に表示される演出図柄３５ａ〜３５ｃが特定の演出図柄変動パターンで変動する際に所定のタイミングで作動して、例えば待機位置Ｂから最大揺動位置Ａに移動した可動体８０と第１画像表示手段２８による演出画像との組み合わせにより一体感のある演出が行われる。
【００６２】
また、以上のようなパチンコ機の組み立て工程において、例えば可動体ユニット８０ａを装着した裏装着枠２９を遊技盤１６の裏側に装着する際に、裏装着枠２９の裏側に引き出されている配線ケーブル１１５が例えば誤って強く引っ張られたとしても、その引張り力は、可動体８０側の軸支部１０９への巻き掛け部分、及び裏装着枠２９側の巻き掛け手段１１９への巻き掛け部分で吸収されるため、コネクタ１１４からの抜けによる接触不良を確実に防止できる。しかも、配線ケーブル１１５は軸支部１０９、巻き掛け手段１１９に対して遊びを持って巻き掛けられているため、強く引っ張られてもその力が配線ケーブル１１５上の一箇所に集中することがなく、断線等の発生を未然に防止できる。
【００６３】
図１４〜図１６は本発明の第３の実施形態を例示し、１つの部品上に設けられた２つの電子部品間を接続する配線ケーブルの配線例を示している。なお、本実施形態のパチンコ機は、中央表示ユニット１９の一部構成以外は第１，第２の実施形態と共通である。以下、第１，第２の実施形態と異なる構成を中心に説明する。
【００６４】
図１４〜図１６に示すように、本実施形態の中央表示ユニット１９は、遊技領域１８の左右方向の略中央の上部に配置され、液晶パネル等よりなる第１画像表示手段２８と、第１画像表示手段２８を支持し且つ遊技盤１６の裏面に装着された裏装着枠２９と、第１画像表示手段２８に対応する表示窓３０を有し且つ遊技盤１６に形成された装着孔１６ａに対して前側から装着された前飾り枠３１とを備え、裏装着枠２９に、可動体１２１を備えた可動体ユニット１２１ａが、例えば第１画像表示手段２８の前側下部に対応して設けられている。
【００６５】
前飾り枠３１は、遊技盤１６の前面に当接する取り付け板３２と、装着孔１６ａの内周に沿って取り付け板３２から後向きに突出する挿入壁１２２と、第１画像表示手段２８の上部から左右両側部に跨がって取り付け板３２の前面に配置され且つ遊技盤１６から前側に突出する突出部３４と、突出部３４の内周から第１画像表示手段２８の外周部前側に至る内周壁１２３とを備え、内周壁１２３の内側が表示窓３０となっている。
【００６６】
普通図柄始動手段２１は、第１の実施形態と同様、中央表示ユニット１９の左側に配置されているが、本実施形態のパチンコ機では、前飾り枠３１の取り付け板３２から遊技盤１６の前面に沿って横向きに突出する突出配置部１２４に普通図柄始動手段２１が配置されている。なお、前飾り枠３１には、突出配置部１２４の上側で左右方向の内向き（右向き）に凹入する凹入部１２５が形成されている。普通図柄始動手段２１は、遊技球が通過可能な通過ゲートにより構成されており、通過した遊技球を検出可能な近接スイッチ等よりなる遊技球検出手段（電子部品）１２６を備えている。
【００６７】
また本実施形態のパチンコ機では、特別図柄始動手段２２として、入賞口２２ａ，２２ｂの他に第２開閉式入賞口２２ｃを備えており、この第２開閉式入賞口２２ｃが前飾り枠３１に設けられている。第２開閉式入賞口２２ｃは、例えば突出部３４の上部左側に設けられており、電磁ソレノイド等よりなる開閉駆動手段（電子部品）１２７の駆動により入賞可能な開状態と入賞不可能（又は開状態より入賞困難）な閉状態とに変化可能な開閉手段１２８と、入賞した遊技球を検出可能な近接スイッチ等よりなる入賞検出手段（電子部品）１２９等を備えている。第２開閉式入賞口２２ｃに入賞した遊技球は、例えば第１画像表示手段２８の上部前側に左右方向に配置された傾斜状の入賞案内通路１３０を流下し、遊技盤１６の後側に排出される。なお、入賞検出手段１２９は例えば入賞案内通路１３０の上流側端部近傍に配置されている。
【００６８】
前飾り枠３１の背面側には、例えば表示窓３０に対して背面視左側に中継基板（電子部品）１３１が配置されており、この中継基板１３１と遊技盤１６の裏側等に配置された演出制御基板（図示省略）とが接続されている。また、この中継基板１３１のコネクタ１３１ａには、遊技球検出手段１２６、入賞検出手段１２９、開閉駆動手段１２７が夫々配線ケーブル１３２〜１３４を介して接続されている。
【００６９】
遊技球検出手段１２６と中継基板１３１とを接続する配線ケーブル１３２は、遊技球検出手段１２６のコネクタ１２６ａから引き出され、第１案内手段１３５、第２案内手段１３６により挿入壁１２２に沿って案内されると共に、第２案内手段１３６と中継基板１３１との間で巻き掛け手段１３７に巻き掛けられている。
【００７０】
また、入賞検出手段１２９と中継基板１３１とを接続する配線ケーブル１３３は、入賞検出手段１２９のコネクタ１２９ａから引き出され、その入賞検出手段１２９の近傍で巻き掛け手段１３８に巻き掛けられ、中継基板１３１側は配線ケーブル１３２と共に第２案内手段１３６に案内され、また巻き掛け手段１３７に巻き掛けられている。また、開閉駆動手段１２７と中継基板１３１とを接続する配線ケーブル１３４は、開閉駆動手段１２７のコネクタ１２７ａから引き出され、その開閉駆動手段１２７の近傍で巻き掛け手段１３９に巻き掛けられ、中継基板１３１側は配線ケーブル１３２，１３３と共に第２案内手段１３６に案内され、また巻き掛け手段１３７に巻き掛けられている。
【００７１】
第１案内手段（巻き掛け手段）１３５は、前飾り枠３１の背面外周側に、突出配置部１２４の近傍から上部側にかけて配置されており、挿入壁１２２と、その挿入壁１２２の内側に所定の隙間を挟んで並行する第１案内壁１４１とを備え、それら挿入壁１２２と第１案内壁１４１との間に配線ケーブル１３２が遊びを持って巻き掛けられている。挿入壁１２２と第１案内壁１４１との隙間は、配線ケーブル１３２に十分な弛みを持たせることができる程度となっている。
【００７２】
また、第１案内手段１３５は、凹入部１２５に沿って内向き略コの字状に屈曲する第１屈曲部１３５ａを備えている。即ち、配線ケーブル１３２は、遊技球検出手段１２６側の端部近傍において第１案内手段１３５の第１屈曲部１３５ａに対して遊びを持って巻き掛けられている。
【００７３】
第２案内手段（巻き掛け手段）１３６は、例えば前飾り枠３１の背面上部側に、第１案内手段１３５と並んで配置されており、挿入壁１２２と、その挿入壁１２２の内側に所定の隙間を挟んで並行する第２案内壁１４２とを備え、それら挿入壁１２２と第２案内壁１４２との間に配線ケーブル１３２〜１３４が遊びを持って巻き掛けられている。挿入壁１２２と第２案内壁１４２との隙間は、配線ケーブル１３２〜１３４に十分な弛みを持たせることができる程度となっている。また、第１案内壁１４１と第２案内壁１４２との間は挿通部１４３となっており、配線ケーブル１３３，１３４はこの挿通部１４３を経て配線ケーブル１３２と共に第２案内手段１３６に挿入されている。
【００７４】
また、第２案内手段１３６は、その上部側で内向き略コの字状に屈曲する第２屈曲部１３６ａを備えており、配線ケーブル１３２〜１３４はこの第２屈曲部１３６ａに対して遊びを持って巻き掛けられている。
【００７５】
巻き掛け手段１３８，１３９は、夫々例えば１つの後向き突起状に形成されている。配線ケーブル１３３は、入賞検出手段１２９から引き出され、巻き掛け手段１３８に遊びを持って巻き掛けられた後、挿通部１４３を経て第２案内手段１３６に挿入されている。配線ケーブル１３４は、開閉駆動手段１２７から引き出され、巻き掛け手段１３９に遊びを持って巻き掛けられた後、挿通部１４３を経て第２案内手段１３６に挿入されている。
【００７６】
巻き掛け手段１３７は、例えば後向きに突出する一対の突起部１３７ａ，１３７ｂで構成されており、配線ケーブル１３２〜１３４は、中継基板１３１の近傍でそれら突起部１３７ａ，１３７ｂに遊びを持って略Ｓ字状に巻き掛けられている。
【００７７】
以上のようなパチンコ機の組み立て工程において、例えば中央表示ユニット１９の裏側の配線ケーブル１３２〜１３４が例えば誤って強く引っ張られたとしても、その引張り力は、第１案内手段１３５，第２案内手段１３６、巻き掛け手段１３７〜１３９への巻き掛け部分で吸収されるため、コネクタ１２６ａ，１２７ａ，１２９ａ，１３１ａからの抜けによる接触不良を確実に防止できる。しかも、配線ケーブル１３２〜１３４は第１案内手段１３５，第２案内手段１３６、巻き掛け手段１３７〜１３９に対して遊びを持って巻き掛けられているため、強く引っ張られてもその力が配線ケーブル１３２〜１３４上の一箇所に集中することがなく、断線等の発生を未然に防止できる。
【００７８】
図１７は本発明の第４の実施形態を例示し、可動体の回転軸から略半径方向に引き出された配線ケーブルをその回転軸の外周に巻き掛けた例を示している。
【００７９】
図１７に示すように、本実施形態の可動体ユニットは、可動体１５０が可動体ベース１５１により例えば横軸廻りに回転可能に支持され、ステッピングモータ等の駆動手段（図示省略）により回転駆動可能に構成されている。可動体１５０の一端側の回転軸１５２は、可動体ベース１５１の外側に突出しており、可動体１５０と一体に回転するようになっている。
【００８０】
回転軸１５２には、例えばその外周上に中心側に凹入する凹入部１５３が形成されている。この凹入部１５３には、例えば可動体１５０内の発光基板１５４と電気的に接続されたコネクタ１５５が設けられており、このコネクタ１５５に、フラットケーブル（配線ケーブル）１５６の一端側が挿脱自在に接続されている。フラットケーブル１５６は、回転軸１５２の凹入部１５３から半径方向外向きに引き出された後、回転軸（巻き掛け手段）１５２の外周に遊びをもって例えば複数回巻き掛けられた後、遊技盤１６の後側に配置された演出制御基板（図示省略）に接続されている。これにより、可動体１５０の回転に伴ってフラットケーブル１５６の接続部分が回転しても、その回転はフラットケーブル１５６の回転軸１５２への巻き掛け部分で吸収され、捻れが生じることはない。
【００８１】
また以上のようなパチンコ機の組み立て工程において、フラットケーブル１５６が例えば誤って強く引っ張られたとしても、その引張り力は回転軸１５２への巻き掛け部分で吸収されるため、コネクタ１５５からの抜けによる接触不良を確実に防止できる。しかも、フラットケーブル１５６は回転軸１５２に対して遊びを持って巻き掛けられているため、強く引っ張られてもその力がフラットケーブル１５６上の一箇所に集中することがなく、断線等の発生を未然に防止できる。
【００８２】
以上、本発明の実施形態について詳述したが、本発明はこれらの実施形態に限定されるものではなく、本発明の趣旨を逸脱しない範囲で種々の変更が可能である。例えば、配線ケーブルは巻き掛け手段に対して１周以上巻き掛けでもよいし、１周未満であってもよい。１周未満の巻き掛けの場合、巻き掛け手段に対する入側と出側とで配線ケーブルの方向が異なっていればよい。
【００８３】
実施形態では、可動体から引き出された配線ケーブルの巻き掛け手段を可動体に設けた例を示したが、可動体には巻き掛け手段を設けず、可動体ベース側にのみ巻き掛け手段を設けてもよい。
【００８４】
また、本発明はパチンコ機に限らず、アレンジボール機、雀球遊技機等の他の弾球遊技機においても同様に実施することが可能である。
【符号の説明】
【００８５】
２０  可動表示手段（可動体）
２９  裏装着枠（可動体ベース）
４３  表示制御基板（電子部品）
４４  巻き掛け手段
５１  フラットケーブル（配線ケーブル）
７１  ケーブル案内部
７６  底壁（区分部材）
８０  可動体
９２  回転軸
１０９  軸支部（巻き掛け手段）
１１２  発光基板（電子部品）
１１５  配線ケーブル
１１９  巻き掛け手段
１２６  遊技球検出手段（電子部品）
１２７  開閉駆動手段（電子部品）
１２９  入賞検出手段（電子部品）
１３１  中継基板（電子部品）
１３２  配線ケーブル
１３３  配線ケーブル
１３４  配線ケーブル
１３５  第１案内手段（巻き掛け手段）
１３６  第２案内手段（巻き掛け手段）
１３７  巻き掛け手段
１３８  巻き掛け手段
１３９  巻き掛け手段
１５０  可動体
１５２  回転軸（巻き掛け手段）
１５４  発光基板（電子部品）
１５６  フラットケーブル（配線ケーブル）
【図１】
2016198259.tif 000003
【図２】
2016198259.tif 000004
【図３】
2016198259.tif 000005
【図４】
2016198259.tif 000006
【図５】
2016198259.tif 000007
【図６】
2016198259.tif 000008
【図７】
2016198259.tif 000009
【図８】
2016198259.tif 000010
【図９】
2016198259.tif 000011
【図１０】
2016198259.tif 000012
【図１１】
2016198259.tif 000013
【図１２】
2016198259.tif 000014
【図１３】
2016198259.tif 000015
【図１４】
2016198259.tif 000016
【図１５】
2016198259.tif 000017
【図１６】
2016198259.tif 000018
【図１７】
2016198259.tif 000019